(57)【要約】【課題】  患者各人の顎堤に確実に適合できるようにし、印象精度の向上を図る。【解決手段】  底部２に一体形成された側壁３を有し口腔内の顎堤ＧＡの形を転写するための印象材を保持するトレー本体１を備えた歯科用印象トレーＴＡの製造方法において、顎堤ＧＡの前後方向の顎堤中心線上にある粘膜翻転部Ｈ（ＹＡ１)と他（ＹＡ２）との間の寸法であってトレー本体１の辺縁に係る特定の前後幅ＸＡに対応した縦寸法ＹＡを設定し、顎堤中心線に直交する線上にある粘膜翻転部Ｈ間の寸法であってトレー本体１の辺縁に係る特定の左右幅ＬＡに対応する横寸法ＤＡを設定し、縦寸法ＹＡと横寸法ＤＡとを測定し、この測定した縦寸法ＹＡに対応させてトレー本体１の前後幅ＸＡを規定し、横寸法ＤＡに対応させてトレー本体１の左右幅ＬＡを規定して、トレー本体１を製造する。【選択図】  図５
2008220604.tif 000002
【特許請求の範囲】
【請求項１】
底部に一体形成された側壁を有し口腔内の顎堤の形を転写するための印象材を保持するトレー本体を備えた歯科用印象トレーを製造する歯科用印象トレーの製造方法において、
上記顎堤の前後方向の顎堤中心線上にある粘膜翻転部と他との間の寸法であって上記トレー本体の辺縁に係る特定の前後幅に対応した縦寸法を設定し、
上記顎堤中心線に直交する線上にある粘膜翻転部間の寸法であって上記トレー本体の辺縁に係る特定の左右幅に対応する横寸法を設定し、
上記縦寸法と横寸法とを測定し、該測定した縦寸法に対応させて上記トレー本体の前後幅を規定し、上記横寸法に対応させて上記トレー本体の左右幅を規定して、上記トレー本体を製造することを特徴とする歯科用印象トレーの製造方法。
【請求項２】
母集団において上記縦寸法と横寸法とを測定し、当該測定値を縦寸法と横寸法との関係を示す散布グラフにプロットし、当該散布グラフにおいて所定範囲の分布域を特定し、当該分布域を複数の区画に分け、各区画において、縦寸法及び横寸法の代表値である代表縦寸法及び代表横寸法を決定し、
各区画ごとに、上記代表縦寸法に対応させて上記トレー本体の前後幅を規定し、上記代表横寸法に対応させて上記トレー本体の左右幅を規定して、上記トレー本体を製造することを特徴とする請求項１記載の歯科用印象トレーの製造方法。
【請求項３】
底部に一体形成された側壁を有し口腔内の上顎顎堤の形を転写するための印象材を保持するトレー本体を備えた歯科用印象トレーを製造する歯科用印象トレーの製造方法において、
上記トレー本体の前後方向のトレー中心線に直交し該トレー本体の最前端縁を通る前端縁線の当該トレー中心線上の第１特定点と、上記トレー中心線に直交し該トレー本体の最後端縁を通る後端縁線の当該トレー中心線上の第２特定点との間の前後幅を規定し、
上記トレー中心線に直交し該トレー本体の側壁の左右対称位置であって最外側に位置する一対の対称特定点間の左右幅を規定して歯科用印象トレーを製造する歯科用印象トレーの製造方法であって、
上記上顎顎堤の前後方向の顎堤中心線を通り上記上顎顎堤の外側に位置する粘膜翻転部に対応する第１測定点と、上記顎堤中心線に直交し該上顎顎堤の後方左右に位置するハミュラーノッチ間を通る直交線の当該顎堤中心線上の第２測定点との間の縦寸法を設定し、
上記顎堤中心線に直交し該上顎顎堤の外側にある粘膜翻転部の左右対称位置であって最外側に位置する一対の対称測定点の横寸法を設定し、
母集団において上記縦寸法と横寸法とを測定し、当該測定値を縦寸法と横寸法との関係を示す散布グラフにプロットし、当該散布グラフにおいて所定範囲の分布域を特定し、当該分布域を複数の区画に分け、各区画において、縦寸法及び横寸法の代表値である代表縦寸法及び代表横寸法を決定し、
各区画ごとに、上記代表縦寸法に対応させて上記トレー本体の前後幅を規定し、上記代表横寸法に対応させて上記トレー本体の左右幅を規定して、上記トレー本体を製造することを特徴とする歯科用印象トレーの製造方法。
【請求項４】
底部に一体形成された外側壁及び内側壁を有し口腔内の下顎顎堤の形を転写するための印象材を保持するトレー本体を備えた歯科用印象トレーを製造する歯科用印象トレーの製造方法において、
上記トレー本体の前後方向のトレー中心線上にある上記トレー本体の内側壁の縁部に対応する第１特定点と、上記トレー中心線に直交し該トレー本体の最後端縁を通る後端縁線の当該トレー中心線上の第２特定点との間の前後幅を規定し、
上記トレー中心線に直交し該トレー本体の内側壁の縁部であって左右対称位置にある後側コーナ部に位置する一対の対称特定点間の左右幅を規定して歯科用印象トレーを製造する歯科用印象トレーの製造方法であって、
上記下顎顎堤の前後方向の顎堤中心線を通り上記下顎顎堤の内側に位置する粘膜翻転部に対応する第１測定点と、上記顎堤中心線に直交し該下顎顎堤の後方左右に位置する臼後三角の後縁間を通る直交線の当該顎堤中心線上の第２測定点との間の縦寸法を設定し、
上記顎堤中心線に直交し該下顎顎堤の内側にある粘膜翻転部の左右対称位置であって後側に位置する一対の対称測定点の横寸法を設定し、
母集団において上記縦寸法と横寸法とを測定し、当該測定値を縦寸法と横寸法との関係を示す散布グラフにプロットし、当該散布グラフにおいて所定範囲の分布域を特定し、当該分布域を複数の区画に分け、各区画において、縦寸法及び横寸法の代表値である代表縦寸法及び代表横寸法を決定し、
各区画ごとに、上記代表縦寸法に対応させて上記トレー本体の前後幅を規定し、上記代表横寸法に対応させて上記トレー本体の左右幅を規定して、上記トレー本体を製造することを特徴とする歯科用印象トレーの製造方法。
【請求項５】
上記散布グラフにおいて、９０〜９８％の確率楕円範囲及び回帰直線を求め、上記分布域を上記確率楕円範囲と同じ若しくは近似した範囲に設定するとともに、上記区画として、上記回帰直線に沿って連続する少なくとも３つの区画を設定したことを特徴とする請求項２乃至４何れかに記載の歯科用印象トレーの製造方法。
【請求項６】
上記区画として、上記回帰直線に沿って連続する少なくとも３つの区画の縦寸法方向の上下に夫々別の区画を設定したことを特徴とする請求項５記載の歯科用印象トレーの製造方法。
【請求項７】
上記分布域外にある、縦寸法及び横寸法の組を１若しくは複数選択し、該選択した組の縦寸法及び横寸法に対応させてトレー本体の前後幅及び左右幅を規定して、上記トレー本体の他に別のトレー本体を製造することを特徴とする請求項５または６記載の歯科用印象トレーの製造方法。
【請求項８】
上記請求項１乃至７何れかに記載の歯科用印象トレーの製造方法によって製造された歯科用印象トレー。
【請求項９】
上記請求項１乃至７何れかに記載の歯科用印象トレーの製造方法によって製造された歯科用印象トレーの集合からなる歯科用印象トレーキット。
【請求項１０】
測定した縦寸法と横寸法と、各区画毎の歯科用印象トレーとの対応関係を示した対応表を備えたことを特徴とする請求項９記載の歯科用印象トレーキット。
【発明の詳細な説明】
【技術分野】
【０００１】
本発明は、歯科治療において義歯などを作成する際に用いられ、口腔内の無歯顎堤あるいは有歯顎堤の形を転写するための印象材を保持する歯科用印象トレーを製造する歯科用印象トレーの製造方法，この製造方法により製造される歯科用印象トレー及び歯科用印象トレーキットに関する。
【背景技術】
【０００２】
従来、例えば総義歯作成の印象に際して使用する無歯顎用の歯科用印象トレーとしては、図１５に示すように、上顎顎堤用の歯科用印象トレーＴＡと、下顎顎堤用の歯科用印象トレーＴＢとがある。
上顎顎堤用の歯科用印象トレーＴＡは、底部２に一体形成された側壁３を有し口腔内の上顎顎堤の形を転写するための印象材（図示せず）を保持するトレー本体１を備えている。トレー本体１は、金属製であり、適宜多数の小孔８が開設されている。トレー本体１には、その前側に把手部５が溶接固定されている。底部２の中央は膨出形成された膨出部６を備え、膨出部６と側壁３との間に、顎堤に沿う断面Ｕ字状の溝７を形成している。
【０００３】
また、下顎顎堤用の歯科用印象トレーＴＢは、底部２に一体形成され外側壁３ａ及び内側壁３ｂからなる側壁３を有し口腔内の下顎顎堤ＧＢの形を転写するための印象材（図示せず）を保持するトレー本体１を備えている。トレー本体１は、金属製であり、適宜多数の小孔８が開設されている。トレー本体１には、その前側に把手部５が溶接固定されている。底部２は顎堤に沿うように形成されており、底部２，外側壁３ａ及び内側壁３ｂにより、顎堤に沿う断面Ｕ字状の溝７を形成している。
そして、義歯等を作成する際には、上顎顎堤あるいは下顎顎堤に対応する歯科用印象トレーＴＡ，ＴＢを用い、トレー本体１に粘性および流動性を有しかつ短時間で硬化する未硬化の印象材を盛って保持し、この印象材を保持した歯科用印象トレーＴＡ，ＴＢを口腔内に挿入して、印象材を顎堤に押し付けて顎堤の形を転写し、顎堤の形を採取する。
【０００４】
ところで、歯科用印象トレーＴＡ，ＴＢは、できるだけ印象対象の顎堤に適合している必要があるが、顎堤の大きさや形状は患者により千差万別であることから、一つの形態の歯科用印象トレーＴＡ，ＴＢがすべての顎堤に適合することはありえない。そのため、従来においては、左右に分割して各人の形態に適合させる方法（特許文献１，特許文献２）、あるいは、熱による変形可能な合成樹脂により適合させる方法（特許文献３，特許文献４）、更には、変形可能なアルミニウムにより適合させる方法（特許文献５）等が提案されている。しかしながら、これらの方法は、顎堤のわずかな形態の相違にのみ対応可能であるが、大きな形態の相違には対応できない。
【０００５】
そのため、一般には、上顎顎堤用及び下顎顎堤用の歯科用印象トレーＴＡ，ＴＢとしては、大きさや形状の異なるものを数種類用意しておき、患者の顎の形状や大きさに合わせたものを選択して使用するようにしている。上顎顎堤用及び下顎顎堤用の歯科用印象トレーＴＡ，ＴＢとしては、大きさや形状の異なるものを数種類まとめて、ケースなどに収納した、所謂キット品といわれる歯科用印象トレーキットも販売されている。例えば、従来歯科用印象トレーキットとしては、Ｓｔｏ−Ｋ無歯顎印象用トレーキットがある。このキットは、上顎１０数種類、下顎１３種類の形態や大きさの異なる歯科用印象トレーからなる。この歯科用印象トレーの形態は、顎堤を、方形（square）、三角形（tapered）、円形（ovoid）の３形態として分類し、それぞれの形態に大きさの異なる種類を追加するということに基づいて設定されている。
【０００６】
【特許文献１】特開２００１−１１２７８６号公報
【特許文献２】特開２００１−１１２７８７号公報
【特許文献３】特開２０００−１３５２２７号公報
【特許文献４】特表２００２−５２２１５１号公報
【特許文献５】実開平０７−０３４８０８号公報
【発明の開示】
【発明が解決しようとする課題】
【０００７】
ところで、このような従来の上顎顎堤用及び下顎顎堤用の歯科用印象トレーＴＡ，ＴＢにあっては、大きさや形状の異なるものが数種類用意されてはいるが、統一された設計思想のもとに製造されていないことから、印象の採取を必ずしも精度良く行なうことができないことがあるという問題があった。
例えば、上顎顎堤用の歯科用印象トレーＴＡにおいては、顎堤の横幅方向においては良いが、奥行きの縦幅方向が短くて側壁３が顎堤に当接するようになったり、逆に、顎堤の縦幅方向においては良いが、横幅方向が短くて側壁３が顎堤に当接するようになったりする。あるいは、下顎顎堤用の歯科用印象トレーＴＢにおいては、顎堤の横幅方向においては良いが、奥行きの縦幅方向が短くて内側壁３ｂが舌に当たったり外側壁３ａが顎堤に当接するようになったり、逆に、顎堤の縦幅方向においては良いが、横幅方向において、内側壁３ｂや外側壁３ａが顎堤に当接するようになったりする。このようなことがあると、印象材に穴が開いたり変形が生じて印象精度が悪くなり、そのため、完成した義歯の使用感が悪くなり、不快になるという問題があった。そのため、歯科医師は、このようなことがないように、顎堤の正確な印象を得るために、多大な時間と労力を費やしている。
【０００８】
本発明は上記の問題点に鑑みて為されたもので、患者各人の顎堤に確実に適合できるようにし、印象精度の向上を図った歯科用印象トレーの製造方法，歯科用印象トレー及び歯科用印象トレーキットを提供することを目的とする。
【課題を解決するための手段】
【０００９】
本願発明者は、口腔内の粘膜翻転部とトレー本体の外周縁若しくは内周縁との関係に着目した。即ち、例えば無歯顎堤用の総義歯の場合、総義歯が口腔内で適切に機能するためには、総義歯の辺縁は口腔組織の解剖的，生理的限界と調和している必要がある。そのため、総義歯の辺縁は、この粘膜翻転部に置かれることが望ましい。しかしながら、粘膜翻転部の範囲と形態は、その周囲組織に人為的あるいは非生理的な力が加えられることにより変化する。そのため、粘膜翻転部の印象は、周囲組織に不適切な圧が加わらないように、周囲組織を支える程度のほぼ無圧状態下にて行われるのが理想である。
【００１０】
このことから、無歯顎堤若しくは有歯顎堤の適切な印象を採得するためには、トレー本体の形態ができるだけ顎堤に適合している必要がある。義歯作製対象の顎堤の印象採取に際しては、義歯の縁に相当する粘膜翻転部の印象がもっとも重要であって、粘膜翻転部が適切に印象されるためには、上顎ではトレー本体の側壁の開口縁が左右の粘膜翻転部に近接していることが望ましい。そのため、トレー本体の左右幅径寸法と顎堤の左右幅径はできるだけ一致していることが望ましい。また、下顎では、左右の顎堤の間に舌が介在しているため、上顎よりさらにトレー本体の内側壁の開口縁が左右の粘膜翻転部に近接していることが望ましい。そのため、トレー本体の左右幅径寸法と顎堤の左右幅径はできるだけ一致していることが望ましい。但し、印象材料はある程度の粘度と厚みを有していることから、顎堤の左右幅径とトレーの左右寸法は完全に一致しなければならないということはない。その許容範囲は、４〜５ｍｍ以内と云われている。
本願発明者は、この粘膜翻転部とトレー本体の外周縁若しくは内周縁との関係について、多数の患者の口腔に関する測定データを取得し、統計的に分析した。その結果、以下のような粘膜翻転部を基準とする測定値に基づいて、トレー本体を製造することを発明した。
【００１１】
即ち、上記の目的を達成するための本発明の歯科用印象トレーの製造方法は、底部に一体形成された側壁を有し口腔内の顎堤の形を転写するための印象材を保持するトレー本体を備えた歯科用印象トレーを製造する歯科用印象トレーの製造方法において、
上記顎堤の前後方向の顎堤中心線上にある粘膜翻転部と他との間の寸法であって上記トレー本体の辺縁に係る特定の前後幅に対応した縦寸法を設定し、
上記顎堤中心線に直交する線上にある粘膜翻転部間の寸法であって上記トレー本体の辺縁に係る特定の左右幅に対応する横寸法を設定し、
上記縦寸法と横寸法とを測定し、該測定した縦寸法に対応させて上記トレー本体の前後幅を規定し、上記横寸法に対応させて上記トレー本体の左右幅を規定して、上記トレー本体を製造する構成としている。
【００１２】
これにより、粘膜翻転部を基準とする縦寸法に対応させてトレー本体の前後幅を規定し、粘膜翻転部を基準とする横寸法に対応させてトレー本体の左右幅を規定してトレー本体を製造するので、このように製造された歯科用印象トレーにおいては、上顎ではトレー本体の側壁の開口縁が左右の粘膜翻転部に近接して作成でき、下顎ではトレー本体の内側壁の開口縁が左右の粘膜翻転部に近接して作成でき、トレー本体の形態が顎堤に適合できるようになり、印象精度の向上が図られる。
【００１３】
必要に応じ、母集団において上記縦寸法と横寸法とを測定し、当該測定値を縦寸法と横寸法との関係を示す散布グラフにプロットし、当該散布グラフにおいて所定範囲の分布域を特定し、当該分布域を複数の区画に分け、各区画において、縦寸法及び横寸法の代表値である代表縦寸法及び代表横寸法を決定し、
各区画ごとに、上記代表縦寸法に対応させて上記トレー本体の前後幅を規定し、上記代表横寸法に対応させて上記トレー本体の左右幅を規定して、上記トレー本体を製造する構成としている。
【００１４】
これによれば、統計的分析によるデータに基づいて、所定範囲の分布域を区画に分けた各区画毎にトレー本体を作成する。義歯作製対象の顎堤の印象採取に際しては、先ず、患者の口腔内において上記の縦寸法及び横寸法を測定し、この測定値に基づいて、対応する区画のトレー本体を有した歯科用印象トレーを選択して用いれば良い。これにより、トレー本体を患者の顎堤に適合でき、歯科医師は、顎堤の正確な印象を容易に得ることができるようになり、印象採取の作業効率が大幅に向上させられる。
【００１５】
より具体的には、歯科用印象トレーには、上顎顎堤用と、下顎顎堤用とがあるが、上顎顎堤用では、以下のように構成した。
即ち、底部に一体形成された側壁を有し口腔内の上顎顎堤の形を転写するための印象材を保持するトレー本体を備えた歯科用印象トレーを製造する歯科用印象トレーの製造方法において、
上記トレー本体の前後方向のトレー中心線に直交し該トレー本体の最前端縁を通る前端縁線の当該トレー中心線上の第１特定点と、上記トレー中心線に直交し該トレー本体の最後端縁を通る後端縁線の当該トレー中心線上の第２特定点との間の前後幅を規定し、
上記トレー中心線に直交し該トレー本体の側壁の左右対称位置であって最外側に位置する一対の対称特定点間の左右幅を規定して歯科用印象トレーを製造する歯科用印象トレーの製造方法であって、
上記上顎顎堤の前後方向の顎堤中心線を通り上記上顎顎堤の外側に位置する粘膜翻転部に対応する第１測定点と、上記顎堤中心線に直交し該上顎顎堤の後方左右に位置するハミュラーノッチ間を通る直交線の当該顎堤中心線上の第２測定点との間の縦寸法を設定し、
上記顎堤中心線に直交し該上顎顎堤の外側にある粘膜翻転部の左右対称位置であって最外側に位置する一対の対称測定点の横寸法を設定し、
母集団において上記縦寸法と横寸法とを測定し、当該測定値を縦寸法と横寸法との関係を示す散布グラフにプロットし、当該散布グラフにおいて所定範囲の分布域を特定し、当該分布域を複数の区画に分け、各区画において、縦寸法及び横寸法の代表値である代表縦寸法及び代表横寸法を決定し、
各区画ごとに、上記代表縦寸法に対応させて上記トレー本体の前後幅を規定し、上記代表横寸法に対応させて上記トレー本体の左右幅を規定して、上記トレー本体を製造する構成としている。
【００１６】
また、歯科用印象トレーの下顎顎堤用においては、以下のように構成した。即ち、底部に一体形成された外側壁及び内側壁を有し口腔内の下顎顎堤の形を転写するための印象材を保持するトレー本体を備えた歯科用印象トレーを製造する歯科用印象トレーの製造方法において、
上記トレー本体の前後方向のトレー中心線上にある上記トレー本体の内側壁の縁部に対応する第１特定点と、上記トレー中心線に直交し該トレー本体の最後端縁を通る後端縁線の当該トレー中心線上の第２特定点との間の前後幅を規定し、
上記トレー中心線に直交し該トレー本体の内側壁の縁部であって左右対称位置にある後側コーナ部に位置する一対の対称特定点間の左右幅を規定して歯科用印象トレーを製造する歯科用印象トレーの製造方法であって、
上記下顎顎堤の前後方向の顎堤中心線を通り上記下顎顎堤の内側に位置する粘膜翻転部に対応する第１測定点と、上記顎堤中心線に直交し該下顎顎堤の後方左右に位置する臼後三角の後縁間を通る直交線の当該顎堤中心線上の第２測定点との間の縦寸法を設定し、
上記顎堤中心線に直交し該下顎顎堤の内側にある粘膜翻転部の左右対称位置であって後側に位置する一対の対称測定点の横寸法を設定し、
母集団において上記縦寸法と横寸法とを測定し、当該測定値を縦寸法と横寸法との関係を示す散布グラフにプロットし、当該散布グラフにおいて所定範囲の分布域を特定し、当該分布域を複数の区画に分け、各区画において、縦寸法及び横寸法の代表値である代表縦寸法及び代表横寸法を決定し、
各区画ごとに、上記代表縦寸法に対応させて上記トレー本体の前後幅を規定し、上記代表横寸法に対応させて上記トレー本体の左右幅を規定して、上記トレー本体を製造する構成としている。
【００１７】
また、必要に応じ、上記散布グラフにおいて、統計分析により９０〜９８％の確率楕円範囲及び回帰直線を求め、上記分布域を上記確率楕円範囲と同じ若しくは近似した範囲に設定するとともに、上記区画として、上記回帰直線に沿って連続する少なくとも３つの区画を設定した構成としている。望ましくは、９５±１％の確率楕円範囲である。回帰線に沿って区画を設定したので、患者の顎堤により一層確実に適合できるトレー本体を作成することができる。
【００１８】
また、必要に応じ、上記区画として、上記回帰直線に沿って連続する少なくとも３つの区画の縦寸法方向の上下に夫々別の区画を設定した構成としている。区画を細分化したので、患者の顎堤により一層確実に適合できるトレー本体を作成することができる。
【００１９】
更に、必要に応じ、上記分布域外にある、縦寸法及び横寸法の組を１若しくは複数選択し、該選択した組の縦寸法及び横寸法に対応させてトレー本体の前後幅及び左右幅を規定して、上記トレー本体の他に別のトレー本体を製造する構成としている。
患者の中には、上記の分布域外にある、縦寸法及び横寸法を有した患者もいるが、その場合に、有効になる。
【００２０】
そして、本願発明の歯科用印象トレーは、上記の歯科用印象トレーの製造方法によって製造された歯科用印象トレーにある。
そしてまた、本願発明の歯科用印象トレーキットは、上記の歯科用印象トレーの製造方法によって製造された歯科用印象トレーの集合からなる歯科用印象トレーキットにある。
この歯科用印象トレーキットにおいては、測定した縦寸法と横寸法と、各区画毎の歯科用印象トレーとの対応関係を示した対応表を備えたことが有効である。対応表を見て適正な印象トレーを選択できるので、極めて便利になる。
【発明の効果】
【００２１】
本発明によれば、粘膜翻転部を基準とする縦寸法に対応させてトレー本体の前後幅を規定し、粘膜翻転部を基準とする横寸法に対応させてトレー本体の左右幅を規定してトレー本体を製造するので、トレー本体の開口縁を粘膜翻転部に近接して作成できるようになり、トレー本体の形態を顎堤に確実に適合させることができるようになり、印象精度の向上を図ることができる。
また、統計的分析によるデータに基づいて、所定範囲の分布域を区分けした各区画毎にトレー本体を作成する場合には、患者の口腔内において、縦寸法及び横寸法を測定し、この測定値に基づいて、対応する区画のトレー本体を有した歯科用印象トレーを選択して用いることができるので、より一層、トレー本体の形態を顎堤に確実に適合させることができるようになり、印象精度の向上を図ることができる。その結果、歯科医師は、顎堤の正確な印象を容易に得ることができるようになり、印象採取の作業効率を大幅に向上させることができる。
【発明を実施するための最良の形態】
【００２２】
以下、添付図面に基づいて、本発明の実施の形態に係る歯科用印象トレーの製造方法，歯科用印象トレー及び歯科用印象トレーキットについて詳細に説明する。尚、上記と同様のものには同一の符号を付して説明する。
図１乃至図８に示すように、実施の形態に係る歯科用印象トレーの製造方法は、上顎顎堤用の歯科用印象トレーＴＡと、下顎顎堤用の歯科用印象トレーＴＢとの２種類の歯科用印象トレーを製造する方法である。
【００２３】
一般に、図３及び図４に示すように、口腔内においては、上顎顎堤ＧＡと、下顎顎堤ＧＢがあり、これらの周囲には、粘膜翻転部Ｈが形成されている。上顎顎堤ＧＡにおいては、その外側に粘膜翻転部Ｈが形成されている。また、下顎顎堤ＧＢにおいては、その外側に粘膜翻転部Ｈ（ａ）が形成されるとともに、内側にも粘膜翻転部Ｈ（ｂ）が形成されている。ここで、粘膜翻転部Ｈとは、顎堤とその周囲組織（頬・口腔底・舌）粘膜との移行部のことを云い周囲組織から陥没した溝状を成している。そのため、粘膜翻転部Ｈは、線として部位を特定することができる。ただし、上顎の内側から後方にかけては、顎堤から咽頭まで溝を形成することなく移行しているため、この部分の粘膜翻転部Ｈは特定できない。
【００２４】
また、上顎顎堤ＧＡの後方左右には、ハミュラーノッチＮといわれる部位が特定できる。上顎結節の遠心端と側頭骨の翼状突起内側板のあいだには骨の連結部があり、これに相当する粘膜面はくぼんでいる。この部位をハミュラーノッチＮという。
また、下顎顎堤ＧＢの中心線ＰＢ上には、顎堤の内側に舌小帯Ｒがある。下顎の後側部には臼後三角Ｓがある。
【００２５】
実施の形態に係る上顎顎堤用の歯科用印象トレーＴＡは、図１，図５（ｂ），図７及び図１５（ａ）に示すように、底部２に一体形成された側壁３を有し口腔内の上顎顎堤ＧＡの形を転写するための印象材（図示せず）を保持するトレー本体１を備えている。トレー本体１は、金属製であり、適宜多数の小孔８が開設されている。トレー本体１には、その前側に把手部５が溶接固定されている。底部２の中央は膨出形成された膨出部６を備え、膨出部６と側壁３との間に、顎堤に沿う断面Ｕ字状の溝７を形成している。
【００２６】
実施の形態では、図１，図５（ｂ）及び図７に示すように、先ず、トレー本体１の前後方向のトレー中心線ＱＡに直交しトレー本体１の最前端縁を通る前端縁線Ｃ１の当該トレー中心線ＱＡ上の第１特定点ＸＡ１と、トレー中心線ＱＡに直交し該トレー本体１の最後端縁を通る後端縁線Ｃ２の当該トレー中心線ＱＡ上の第２特定点ＸＡ２との間の前後幅ＸＡを規定する。また、トレー中心線ＱＡに直交しトレー本体１の側壁３の左右対称位置であって最外側に位置する一対の対称特定点ＬＡ１，ＬＡ２間の左右幅ＬＡを規定する。歯科用印象トレーＴＡは、この前後幅ＸＡ及び左右幅ＬＡを基準にして、側壁３の開口縁が粘膜翻転部Ｈに近接してこれに沿うようその大きさ及び形状を定める。
【００２７】
一方、実施の形態に係る下顎顎堤用の歯科用印象トレーＴＢは、図２，図６（ｂ），図８及び図１５（ｂ）に示すように、底部２に一体形成され外側壁３ａ及び内側壁３ｂからなる側壁３を有し口腔内の下顎顎堤ＧＢの形を転写するための印象材（図示せず）を保持するトレー本体１を備えている。トレー本体１は、金属製であり、適宜多数の小孔８が開設されている。トレー本体１には、その前側に把手部５が溶接固定されている。底部２は顎堤に沿うように形成されており、底部２，外側壁３ａ及び内側壁３ｂにより、顎堤に沿う断面Ｕ字状の溝７を形成している。
【００２８】
実施の形態では、図２，図６（ｂ）及び図８に示すように、トレー本体１の前後方向のトレー中心線ＱＢ上にあるトレー本体１の内側壁３ｂの縁部に対応する第１特定点ＸＢ１と、トレー中心線ＱＢに直交しトレー本体１の最後端縁を通る後端縁線Ｃ３のトレー中心線ＱＢ上の第２特定点ＸＢ２との間の前後幅ＸＢを規定し、トレー中心線ＱＢに直交しトレー本体１の内側壁の縁部であって左右対称位置にある後側コーナ部（内側壁の底部２からの高さが一番高い点）に位置する一対の対称特定点ＬＢ１，ＬＢ２間の左右幅ＬＢを規定する。歯科用印象トレーＴＢは、この前後幅ＸＢ及び左右幅ＬＢを基準にして、内側壁３ｂおよび外側壁３ａの開口縁が夫々粘膜翻転部Ｈに近接してこれに沿うようその大きさ及び形状を定める。
【００２９】
実施の形態に係る製造方法においては、図３，図５（ｂ）及び図７に示すように、上顎において、上顎顎堤ＧＡの前後方向の顎堤中心線ＰＡを通り上顎顎堤ＧＡの外側に位置する粘膜翻転部Ｈに対応する第１測定点ＹＡ１と、顎堤中心線ＰＡに直交し上顎顎堤ＧＡの後方左右に位置するハミュラーノッチＮ間を通る直交線Ｃ４の当該顎堤中心線ＰＡ上の第２測定点ＹＡ２との間の縦寸法ＹＡを設定する。即ち、左右のハミュラーノッチＮを結ぶ線Ｃ４に対して切歯乳頭中心部（正中部ＹＡ１）を通る垂線を引く。その垂線と左右のハミュラーノッチＮを結ぶ線Ｃ４の交点ＹＡ２から垂線上の前方部粘膜翻転部Ｈ（ＹＡ１）までの距離を縦寸法ＹＡとして設定する。
また、顎堤中心線ＰＡに直交し上顎顎堤ＧＡの外側にある粘膜翻転部Ｈの左右対称位置であって最外側に位置する一対の対称測定点ＤＡ１，ＤＡ２の横寸法ＤＡを設定する。即ち、上顎顎堤ＧＡの左右幅径がもっとも広い部分における粘膜翻転部Ｈ間距離を横寸法ＤＡとして設定する。
【００３０】
一方、下顎においては、図４，図６（ｂ）及び図８に示すように、下顎顎堤ＧＢの前後方向の顎堤中心線ＰＢを通り下顎顎堤ＧＢの内側に位置する粘膜翻転部Ｈに対応する第１測定点ＹＢ１と、顎堤中心線ＰＢに直交し下顎顎堤ＧＢの後方左右に位置する臼後三角Ｓの後縁Ｓａ間を通る直交線Ｃ５の当該顎堤中心線ＰＢ上の第２測定点ＹＢ２との間の縦寸法ＹＢを設定する。即ち、左右の臼後三角Ｓの後縁Ｓａを結ぶ線Ｃ５に対して舌小帯Ｒ中心部（正中部ＹＢ１）を通る垂線を引く。その垂線と左右の臼後三角Ｓの後縁Ｓａを結ぶ線Ｃ５の交点ＹＢ２から顎堤内側の粘膜翻転部Ｈ（ＹＢ１）までの距離を、縦寸法ＹＢとして設定する。
また、顎堤中心線ＰＢに直交し下顎顎堤ＧＢの内側にある粘膜翻転部Ｈの左右対称位置であって後側に位置する一対の対称測定点ＤＢ１，ＤＢ２の横寸法ＤＢを設定する。即ち、臼後三角Ｓに近接する顎堤内側の粘膜翻転部Ｈ間距離を横寸法ＤＢとして設定する。
【００３１】
そして、患者の母集団（実施の形態では、無作為に抽出した日本人の患者、１４５人）において、上顎及び下顎において、上記の縦寸法ＹＡ，ＹＢと横寸法ＤＡ，ＤＢとを測定した。この測定に当たっては、図５（ａ），図６（ａ）及び図９に示すような測定具１０、及び、図１０に示すような測定具２０を用いることができる。
【００３２】
図５（ａ），図６（ａ）及び図９に示す測定具１０は、縦寸法ＹＡ，ＹＢを測定するための測定具である。この測定具１０は、口腔内にある顎堤の前後方向の顎堤中心線ＰＡ，ＰＢを通る粘膜翻転部Ｈ（上顎においては顎堤の外側の粘膜翻転部Ｈ，下顎においては顎堤の内側の粘膜翻転部Ｈ）に対応する第１測定点ＹＡ１，ＹＢ１と、顎堤中心線ＰＡ，ＰＢに直交し顎堤の後方左右に位置する一対の所定部位間（上顎においてはハミュラーノッチＮ間，下顎においては臼後三角Ｓの後縁Ｓａ間）を通る直交線Ｃ４，Ｃ５の当該顎堤中心線ＰＡ，ＰＢ上の第２測定点ＹＡ２，ＹＢ２との間の距離を設定するものである。
【００３３】
詳しくは、測定具１０は、顎堤ＧＡ，ＧＢの前後方向に亘って配置される所定長さの矩形板状の合成樹脂製や金属製の本体１１と、本体１１の長手方向一端側に突設され第１測定点ＹＡ１，ＹＢ１の粘膜翻転部Ｈ（上顎においては顎堤の外側の粘膜翻転部Ｈ，下顎においては顎堤の内側の粘膜翻転部Ｈ）に係止される棒状の第１係止部１２と、本体１１の長手方向他端側に突設され顎堤ＧＡ，ＧＢの後方左右に位置する一対の所定部位（上顎においてはハミュラーノッチＮ，下顎においては臼後三角Ｓの後縁Ｓａ）に係止されてこの所定部位間（上顎においてはハミュラーノッチＮ間，下顎においては臼後三角Ｓの後縁Ｓａ間）に掛け渡されるとともに、第２測定点ＹＡ２，ＹＢ２を通る板状若しくは棒状の第２係止部１３とを備えて構成されている。
詳しくは、第１係止部１２は、先端先細りの円錐状あるいは舌片状に形成され、合成樹脂や金属で形成されている。第１係止部１２の先端は、口腔内を傷つけないように、半球状に面取り形成されることが望ましい。
第２係止部１３は、板状に形成されており、合成樹脂や金属で形成されている。第２係止部１３のエッジ及び両端は、口腔内を傷つけないように、角部を面取り形成されることが望ましい。本体１１と第２係止部１３との間には、三角板状の補強板１１ａが設けられている。
【００３４】
また、測定具１０は、図９に示すように、第１係止部１２を本体の長手方向に沿って移動可能に支持するスライド機構１４を備えて構成されており、第１係止部１２及び第２係止部１３の間隔は可変になっている。スライド機構１４は、本体１１の長手方向に沿って設けられる長孔１５と、第１係止部１２に延設され長孔１５を貫通するとともに長孔１５を摺動するスライダ１６と、スライダ１６の上下に設けられ長孔１５の幅よりも大径に形成されて長孔１５の開口縁を摺接し、スライダ１６を長孔１５に対して抜け止めするストッパ１７とを備えて構成されている。長孔１５は、本体１１の端部から長孔１５を構成する溝を形成し、この端部に樹脂製などのキャップ１１ｂを嵌め込むことにより、形成されている。本体１１には、第１係止部１２及び第２係止部１３の間隔を表示する目盛１８が設けられている。スライダ１６側で上のストッパ１７の中央には、目盛１８を指し示す指示部１９が設けられている。１７ａはストッパ１７に突設された操作用ノブである。
【００３５】
そして、上記の縦寸法ＹＡ，ＹＢを測定するときは、図５（ａ）に示すように、上顎においては、測定具１０を口腔内に入れ、測定具１０の第２係止部１３を、ハミュラーノッチＮ間に掛け渡すとともに、操作用ノブ１７ａを操作してスライダ１６を適宜スライドさせながら第１係止部１２を顎堤の外側の粘膜翻転部Ｈである第１測定点ＹＡ１に係合する。これにより、指示部１９の目盛１８を読み取ると、第１係止部１２及び第２係止部１３の間隔の寸法が読み取られ、この寸法は、第１測定点ＹＡ１と第２測定点ＹＡ２との間の距離であることから、上顎の縦寸法ＹＡが分かる。
【００３６】
一方、図６（ａ）に示すように、下顎においては、測定具１０を口腔内に入れ、測定具１０の第２係止部１３を、臼後三角Ｓの後縁Ｓａに当接させて臼後三角Ｓの後縁Ｓａ間に掛け渡すとともに、操作用ノブ１７ａを操作してスライダ１６を適宜スライドさせながら第１係止部１２を顎堤の内側の粘膜翻転部Ｈである第１測定点ＹＢ１に係合する。これにより、指示部１９の目盛１８を読み取ると、第１係止部１２及び第２係止部１３の間隔の寸法が読み取られ、この寸法は、第１測定点ＹＢ１と第２測定点ＹＢ２との間の距離であることから、下顎の縦寸法ＹＢが分かる。
【００３７】
図１０に示す測定具２０は、横寸法ＤＡ，ＤＢを測定するためのものである。この測定具２０は、所謂製図のデバイダ型に形成されており、一端が互いに回動可能に連結された一対のアーム２１と、各アーム２１の先端に設けられ、口腔内にある顎堤の周囲の粘膜翻転部Ｈに係合可能な一対の係合部２２とを備えて構成されている。係合部２２は、先端先細りの扁平板状に形成され、例えば、合成樹脂や金属で形成されている。係合部２２の先端は、口腔内を傷つけないように、面取り形成されることが望ましい。
【００３８】
そして、上記の横寸法を測定するときは、図３に示すように、上顎においては、測定具２０の係合部２２側を口腔内に入れ、アーム２１を適宜回動させてその開度を調整しながら、各係合部２２を、顎堤中心線ＰＡに直交し上顎顎堤ＧＡの外側にある粘膜翻転部Ｈの左右対称位置であって最外側に位置する一対の対称測定点ＤＡ１，ＤＡ２に、夫々係合させる。この状態で、口腔内から測定具２０を取出し、係合部２２間の距離を定規で計測する。これにより、上顎の横寸法ＤＡが分かる。
【００３９】
一方、図４に示すように、下顎においては、測定具２０の係合部２２側を口腔内に入れ、アーム２１を適宜回動させてその開度を調整しながら、各係合部２２を、顎堤中心線ＰＢに直交し下顎顎堤ＧＢの内側にある粘膜翻転部Ｈの左右対称位置であって後側に位置する一対の対称測定点ＤＢ１，ＤＢ２に、夫々係合させる。この状態で、口腔内から測定具２０を取出し、係合部２２間の距離を定規で計測する。これにより、下顎の横寸法ＤＢが分かる。
【００４０】
実施の形態では、母集団（無作為に抽出した日本人の患者、１４５人）において、上記の測定具１０を用いる等して上記の縦寸法ＹＡ，ＹＢを測定し、上記の測定具２０を用いる等して上記の横寸法ＤＡ，ＤＢを測定した。次に、上顎及び下顎夫々において、これらの測定値を、縦寸法ＹＡ，ＹＢと横寸法ＤＡ，ＤＢとの関係を示す散布グラフにプロットした。図１１には上顎の散布グラフを示し、図１２には下顎の散布グラフを示す。
それから、この各散布グラフにおいて所定範囲の分布域を特定し、この分布域を複数の区画に分けた。分布域の特定に当たっては、周知の統計分析により相関を求め、９０〜９８％、望ましくは、９５±１％（実施の形態では９５％）の確率楕円３０（二変数正規楕円）範囲及び回帰直線３１を求める。分布域３２は、確率楕円範囲に近似した範囲に設定する。実施の形態では、区画の集合した範囲になる。
【００４１】
詳しくは、区画として、回帰直線３１に沿って連続する少なくとも３つの区画（実施の形態では３区画（ＮＭ，ＭＭ，ＷＭ））を設定し、更に、区画として、この３つの区画（ＮＭ，ＭＭ，ＷＭ）の縦寸法ＹＡ，ＹＢ方向（縦軸方向）の上下に夫々別の区画（ＮＬ，ＮＳ，ＭＬ，ＭＳ，ＷＬ，ＷＳ）を設定している。各区画は、図１１及び図１２に示すように、座標範囲で規定される。
【００４２】
次に、各区画において、縦寸法ＹＡ，ＹＢ及び横寸法の代表値である代表縦寸法及び代表横寸法を決定する。この決定は、各区画の中心に近似する値に基づき行った。代表縦寸法及び代表横寸法と区画範囲との関係を、図１３に示す。
【００４３】
そして、上顎及び下顎夫々において、各区画ごとに、代表縦寸法に対応させてトレー本体１の前後幅ＸＡ，ＸＢを規定し、代表横寸法に対応させてトレー本体１の左右幅ＬＡ，ＬＢを規定して、トレー本体１を製造した。尚、例えば、下顎トレー本体１の頬側開口縁の形態は、下顎舌側の形態を基本に設定する。正中部の頬側開口縁は舌側開口縁から例えば唇側１５ｍｍとし、臼後三角Ｓ前縁部付近の頬側開口縁は舌側開口縁から例えば頬側２０ｍｍとして、下顎トレー本体１の外側の開口縁は両者を結ぶ曲線で設定される。また、各トレー本体１に把手部５を設け、歯科用印象トレーＴＡ，ＴＢを完成させた。
【００４４】
即ち、本実施の形態においては、１４５名の上下顎顎堤の前後・左右幅径計測値の統計分析結果に基づいてトレー本体１を製造している。上下顎それぞれの顎堤の前後・左右幅径計測値は、散布図として標記され、統計分析により９５％確率楕円が求められた。その結果、上下顎とも前後・左右幅径との間に相関関係があり、回帰直線が求められた。しかしながら、両者の相関関係はそれほど強いものではなく、散布図上の標記された点は広範囲に及んでいた。そのことは、顎堤の前後・左右幅径率の個人差が大きく、その結果として顎堤の形態は多岐にわたっていることを意味している。以上の結果から、顎堤形態の分類は、前後幅径が長（Ｌ）、中（Ｍ）、短（Ｓ）として分類し、さらに、左右幅径が広（Ｗ）、中（Ｍ）、狭（Ｎ）として分類した。その結果、上顎及び下顎夫々において、顎堤の形態は９種類に分類でき、トレー本体１は、この９種類の形態に分類された顎堤形態のそれぞれに適合する９種類のものを製造した。
【００４５】
また、実施の形態においては、上顎及び下顎夫々において、分布域外にある、縦寸法ＹＡ，ＹＢ及び横寸法ＤＡ，ＤＢの組を１若しくは複数（実施の形態では２つ）選択し、この選択した組（ＳＳ，ＬＬ）の縦寸法ＹＡ，ＹＢ及び横寸法ＤＡ，ＤＢに対応させて、トレー本体１の前後幅ＸＡ，ＸＢ及び左右幅ＬＡ，ＬＢを規定して、上記のトレー本体１の他に別のトレー本体１を製造した。また、この別のトレー本体１には、把手部５を設けた。
この別のトレー本体１の選択した縦寸法ＹＡ，ＹＢ及び横寸法ＤＡ，ＤＢと区画範囲との関係を、図１３に示す。
【００４６】
このようにして、上顎顎堤用の歯科用印象トレーＴＡを１１種（ＳＳ，ＮＳ，ＮＭ，ＮＬ，ＭＳ，ＭＭ，ＭＬ，ＷＳ，ＷＭ，ＷＬ，ＬＬ）作成し、同様に、下顎顎堤用の歯科用印象トレーＴＢを１１種（ＳＳ，ＮＳ，ＮＭ，ＮＬ，ＭＳ，ＭＭ，ＭＬ，ＷＳ，ＷＭ，ＷＬ，ＬＬ）作成し、これらを、歯科用印象トレーキットとした。
【００４７】
また、図１４に示すように、測定した縦寸法ＹＡ，ＹＢと横寸法ＤＡ，ＤＢと、各区画毎の歯科用印象トレーＴＡ，ＴＢ（ＳＳ，ＮＳ，ＮＭ，ＮＬ，ＭＳ，ＭＭ，ＭＬ，ＷＳ，ＷＭ，ＷＬ，ＬＬ）との対応関係を示した対応表４０を作成し、これを歯科用印象トレーキットに添付した。
【００４８】
従って、この歯科用印象トレーキットを用いて、患者の印象を採取するときは、以下のようにして行なう。
先ず、上記の測定具１０，２０を用いるなどして、患者の口腔内の上顎及び下顎夫々において、縦寸法ＹＡ，ＹＢ及び横寸法ＤＡ，ＤＢを測定する。そして、対応表４０を用いて、測定値に基づいて、対応する区画の歯科用印象トレーＴＡ，ＴＢの種類を特定する。そして、この特定された歯科用印象トレーＴＡ，ＴＢを歯科用印象トレーキットから選択して用いる。
この場合、選択された歯科用印象トレーＴＡ，ＴＢは、粘膜翻転部Ｈを基準とする縦寸法ＹＡ，ＹＢに対応させてトレー本体１の前後幅ＸＡ，ＸＢを規定し、粘膜翻転部Ｈを基準とする横寸法ＤＡ，ＤＢに対応させてトレー本体１の左右幅ＬＡ，ＬＢを規定して製造されているので、上顎ではトレー本体１の側壁３の開口縁が左右の粘膜翻転部Ｈに近接して作成でき、下顎ではトレー本体１の内側壁３ｂの開口縁が左右の粘膜翻転部Ｈに近接して作成でき、トレー本体１の形態が顎堤に適合できるようになり、印象精度の向上が図られる。このため、トレー本体１を患者の顎堤に適合できるものにすることができ、歯科医師は、顎堤の正確な印象を容易に得ることができるようになり、印象採取の作業効率が大幅に向上させられる。
【００４９】
また、歯科用印象トレーＴＡ，ＴＢは、統計的分析によるデータに基づいて、所定範囲の分布域を区分けした各区画毎に作成されているので、義歯作製対象の顎堤の印象採取に際しては、先ず、患者の口腔内において上記の縦寸法ＹＡ，ＹＢ及び横寸法ＤＡ，ＤＢを測定し、この測定値に基づいて、対応する区画のトレー本体１を有した歯科用印象トレーＴＡ，ＴＢを選択して用いれば良く、この点でも、顎堤の正確な印象を容易に得ることができるようになり、印象採取の作業効率が大幅に向上させられる。この場合、患者の中には、分布域外にある、縦寸法ＹＡ，ＹＢ及び横寸法ＤＡ，ＤＢを有した患者もいるが、歯科用印象トレーキットは、分布域外にある、縦寸法ＹＡ，ＹＢ及び横寸法ＤＡ，ＤＢの別のトレー本体１を備えた歯科用印象トレーＴＡ，ＴＢを有しているので、これを用いることができ、極めて便利になる。
【００５０】
尚、上記実施の形態において、区画の数や範囲は上述したものに限定されるものではなく、適宜変更して差支えない。
【図面の簡単な説明】
【００５１】
【図１】本発明の実施の形態に係る歯科用印象トレー（上顎用）を示す平面図である。
【図２】本発明の実施の形態に係る歯科用印象トレー（下顎用）を示す平面図である。
【図３】本発明の実施の形態に係る歯科用印象トレーの製造方法において、上顎の測定部位を示す平面図である。
【図４】本発明の実施の形態に係る歯科用印象トレーの製造方法において、下顎の測定部位を示す平面面である。
【図５】本発明の実施の形態に係る歯科用印象トレーの製造方法において、上顎の測定部位と歯科用印象トレー（上顎用）との関係を示し、（ａ）は測定器を用いて上顎を測定している状態を示す縦断面図、（ｂ）は歯科用印象トレー（上顎用）を使用している状態を示す縦断面図である。
【図６】本発明の実施の形態に係る歯科用印象トレーの製造方法において、下顎の測定部位と歯科用印象トレー（下顎用）との関係を示し、（ａ）は測定器を用いて下顎を測定している状態を示す縦断面図、（ｂ）は歯科用印象トレー（下顎用）を使用している状態を示す縦断面図である。
【図７】本発明の実施の形態に係る歯科用印象トレー（上顎用）を使用している状態を示す横断面図である。
【図８】本発明の実施の形態に係る歯科用印象トレー（下顎用）を使用している状態を示す横断面図である。
【図９】本発明の実施の形態に係る歯科用印象トレーの製造方法において、縦寸法を測定するための測定具の一例を示す図であり、（ａ）は正面図、（ｂ）は側面図である。
【図１０】本発明の実施の形態に係る歯科用印象トレーの製造方法において、横寸法を測定するための測定具の一例を示す図であり、（ａ）は正面図、（ｂ）は側面図である。
【図１１】本発明の実施の形態に係る歯科用印象トレーの製造方法において用いる縦寸法と横寸法との関係を示す散布グラフであって、上顎の測定データをプロットし、分布域及び複数の区画を定めた一例を示す図である。
【図１２】本発明の実施の形態に係る歯科用印象トレーの製造方法において用いる縦寸法と横寸法との関係を示す散布グラフであって、下顎の測定データをプロットし、分布域及び複数の区画を定めた一例を示す図である。
【図１３】本発明の実施の形態に係る歯科用印象トレーの製造方法において、区画（区画範囲値）と作成するトレー寸法（代表横寸法，代表縦寸法）との対応関係を示す表図である。
【図１４】本発明の実施の形態に係る歯科用印象トレーキットに添付され、測定した縦寸法と横寸法と、各区画毎の歯科用印象トレーとの対応関係を表示した対応表を示す図である。
【図１５】本発明が適用される歯科用印象トレーの一例を示し、（ａ）は上顎用の歯科用印象トレーを示す斜視図、（ｂ）は下顎用の歯科用印象トレーを示す斜視図である。
【符号の説明】
【００５２】
ＴＡ  歯科用印象トレー（上顎用）
ＴＢ  歯科用印象トレー（下顎用）
ＧＡ  上顎顎堤
ＧＢ  下顎顎堤
Ｈ  粘膜翻転部
Ｎ  ハミュラーノッチ
Ｒ  舌小帯
Ｓ  臼後三角
Ｓａ  後縁
１  トレー本体
２  底部
３  側壁
３ａ  外側壁
３ｂ  内側壁
５  把手部
６  膨出部
７  溝
８  小孔
ＱＡ，ＱＢ  トレー中心線
Ｃ１  前端縁線
Ｃ２  後端縁線
Ｃ３  後端縁線
ＸＡ１，ＸＢ１  第１特定点
ＸＡ２，ＸＢ２  第２特定点
ＸＡ，ＸＢ  前後幅
ＬＡ１，ＬＡ２  対称特定点
ＬＢ１，ＬＢ２  対称特定点
ＬＡ，ＬＢ  左右幅
ＰＡ，ＰＢ  顎堤中心線
ＹＡ１，ＹＢ１  第１測定点
Ｃ４  直交線
Ｃ５  直交線
ＹＡ２，ＹＢ２  第２測定点
ＹＡ，ＹＢ  縦寸法
ＤＡ１，ＤＡ２  対称測定点
ＤＢ１，ＤＢ２  対称測定点
ＤＡ，ＤＢ  横寸法
１０  測定具
１１  本体
１２  第１係止部
１３  第２係止部
１４  スライド機構
１５  長孔
１６  スライダ
１７  ストッパ
１８  目盛
１９  指示部
２０  測定具
２１  アーム
２２  係合部
３０  確率楕円
３１  回帰直線
３２  分布域
ＮＳ，ＮＭ，ＮＬ，ＭＳ，ＭＭ，ＭＬ，ＷＳ，ＷＭ，ＷＬ  区画（区画ごとの歯科用印象トレー）
ＳＳ，ＬＬ  区画外の歯科用印象トレー
４０  対応表
【図１】
2008220604.tif 000003
【図２】
2008220604.tif 000004
【図３】
2008220604.tif 000005
【図４】
2008220604.tif 000006
【図５】
2008220604.tif 000007
【図６】
2008220604.tif 000008
【図７】
2008220604.tif 000009
【図８】
2008220604.tif 000010
【図９】
2008220604.tif 000011
【図１０】
2008220604.tif 000012
【図１１】
2008220604.tif 000013
【図１２】
2008220604.tif 000014
【図１３】
2008220604.tif 000015
【図１４】
2008220604.tif 000016
【図１５】
2008220604.tif 000017